(57)【要約】【課題】簡単に取り付けでき、かつ強度が高い振止め具およびその取り付け方法を提供することである。【解決手段】天井内における振止め具１は、スラブ下面３２から吊り下げられた吊りボルト２を挿入する挿入孔１４を備えた筒体４外周面に取付片５が設けられ、該取付片５には斜め振止め材３の一端部が回転自在に取り付けられ、該斜め振止め材３の他端部には、前記挿入孔１４に挿入された吊りボルト２に隣接した吊りボルト９に固定される固定片８が取り付けられ、前記挿入孔１４内側には、挿入孔１４に吊りボルト２を挿入したときに筒体４が下がるのを防ぐ固定手段１６が設けられたことである。【選択図】図１
2007138413.tif 000002
【特許請求の範囲】
【請求項１】
スラブ下面から吊り下げられた吊りボルトを挿入する挿入孔を備えた筒体の外周面に取付片が設けられ、該取付片には斜め振止め材の一端部が回転自在に取り付けられ、該斜め振止め材の他端部には、前記吊りボルトに隣接した吊りボルトに固定される固定片が取り付けられ、前記挿入孔の内側には、挿入孔に吊りボルトを挿入したときに筒体が下がるのを防ぐ固定手段が設けられたことを特徴とする天井内における振止め具。
【請求項２】
固定手段は、挿入孔の内側に形成された下側が広く上側に向かって狭くなった収納部と、該収納部に収納されてスプリングで常時押し上げられている複数の掴み部材とからなり、該掴み部材は、筒体の下がる力によって吊りボルトを掴むことを特徴とする請求項１に記載の天井内における振止め具。
【請求項３】
請求項１または２の振止め具の取り付け方法であり、スラブ下面から吊り下げられた吊りボルトを挿入孔に挿入して振止め具を取り付けた後、斜め振止め材を回転させて他端部を固定片で前記吊りボルトに隣接した吊りボルトに固定することを特徴とする振止め具の取り付け方法。
【発明の詳細な説明】
【技術分野】
【０００１】
本願発明は振止め具およびその取り付け方法に関するものである。
【背景技術】
【０００２】
ふところの高い天井ではスラブ下面から吊り下げられた吊りボルトが長くなるため、地震時の水平力によって天井が大きく振られて落下するおそれがあった。そこで、図８に示すように、高さ１５００ｍｍ以下ごとに水平振止め材３６を縦横１８００ｍｍごとに設置し、要所には斜め振止め材３７を溶接で取り付けていた。しかし、斜め振れ止め材３７の上側の溶接は、天井用足場３８から手が届かないためウマ３９を使うなどの危険作業になりがちであり、しかも部材断面寸法が小さいために十分な溶接ができず、強度的にも不安定になるという問題があった。さらに、その他の振止め具としては、例えば特開２００２−３８６４９号の発明が知られている。
【特許文献１】特開２００２−３８６４９号公報
【発明の開示】
【発明が解決しようとする課題】
【０００３】
しかし、上記のような振止め具は足場上でウマを使うなどの危険作業になりがちであり、しかも細い部材への溶接作業であるため十分な強度を得ることができなかった。
【０００４】
本願発明はこれらの問題に鑑みてなされたものであり、その目的は、簡単に取り付けでき、かつ強度が高い振止め具およびその取り付け方法を提供することである。
【課題を解決するための手段】
【０００５】
以上の課題を解決するための天井内における振止め具は、スラブ下面から吊り下げられた吊りボルトを挿入する挿入孔を備えた筒体の外周面に取付片が設けられ、該取付片には斜め振止め材の一端部が回転自在に取り付けられ、該斜め振止め材の他端部には、前記吊りボルトに隣接した吊りボルトに固定される固定片が取り付けられ、前記挿入孔の内側には、挿入孔に吊りボルトを挿入したときに筒体が下がるのを防ぐ固定手段が設けられたことを特徴とする。また固定手段は、挿入孔の内側に形成された下側が広く上側に向かって狭くなった収納部と、該収納部に収納されてスプリングで常時押し上げられている複数の掴み部材とからなり、該掴み部材は、筒体の下がる力によって吊りボルトを掴むことを含むものである。
【０００６】
また振止め具の取り付け方法は、請求項１または２の振止め具の取り付け方法であり、スラブ下面から吊り下げられた吊りボルトを挿入孔に挿入して振止め具を取り付けた後、斜め振止め材を回転させて他端部を固定片で前記吊りボルトに隣接した吊りボルトに固定することを特徴とする。
【発明の効果】
【０００７】
天井施工用の足場の上から安全且つ容易に振止め具を備え付けることができる。また斜め振止め材は隣接した吊りボルトとの固定が簡単にできる。
【発明を実施するための最良の形態】
【０００８】
以下、本願発明の振止め具およびその取り付け方法の実施の形態を図面に基づいて説明する。はじめに、振止め具について説明し、次に、この振止め具の取り付け方法について説明するが、各実施の形態において同じ構成は同じ符号を付して説明し、異なった構成は異なった符号を付して説明する。
【０００９】
図１は第１の実施の形態の振止め具１である。この振止め具１はスラブ下面に適宜間隔をもって吊り下げた吊りボルト２間にわたってブレース材である斜め振止め材３を設置するものであり、筒体４とこの筒体４に回転自在に取り付けられた４本の斜め振止め材３とから構成されている。この斜め振止め材３は長ボルトであり、一端部が筒体４外周面の取付片５に設けられた回転板６にねじ込まれている。
【００１０】
この回転板６は一枚板を平面三角形に折り曲げ形成し、二枚に折り重なった先端部がピン７で取付片５に取り付けられている。したがって回転板６を中心に斜め振止め材３が回転するようになっている。このように斜め振止め材３は傘と同じように使用しない場合は下側に垂れた状態、すなわち閉じた状態になっており、使用する場合は回転して開いた状態になる。
【００１１】
一方、斜め振止め材３の他端部には固定片８が取り付けられているが、これを隣接した吊りボルト９に取り付けるには、一旦斜め振止め材３から取り外して吊りボルト９に取り付けた後に、該固定片８のナット１０に斜め振止め材３の他端部をねじ込むものである。この固定片８における吊りボルト９が挿入された貫入孔１１は、図２に示すように、中央を切り込み、この切込板１２を互いに反対方向に折り曲げ形成し、この切込片１２には吊りボルト９にかみ合う雌ネジ１３が形成されている。
【００１２】
また筒体４は、図３に示すように、吊りボルト２を挿入する挿入孔１４を備え、この挿入孔１４の内側下部には下側が広く上側が狭くなった収納部１５が形成されている。そしてこの収納部１５に固定手段である４つの掴み部材（または３つ）１６が収納され、これらの掴み部材１６が底板１７との間に設けたスプリング１８で常時押し上げられている。この掴み部材１６も４つが合わさった状態で収納部１５と同じ形状、すなわち下側が広く上側が狭くなっており、中央に吊りボルトの挿入部１９が形成され、この挿入部１９の内側に吊りボルト９にかみ合わされるネジ部２０が形成されている。
【００１３】
したがって、掴み部材１６がスプリング１８で押し上げられているときには、内側に縮んで挿入部１９を狭くする一方、下がったときには外側に広がって挿入部１９を大きくするため、筒体４を吊りボルト２に沿って押し上げることができるが、押し下げることはできない。これは筒体４を押し上げるときは、掴み部材１６が下がって挿入部１９を大きくする一方、筒体４を押し下げるときは掴み部材１６が上がって挿入部１９を狭くするためである。
【００１４】
図４は第２の実施の形態の振止め具２１を示したものである。この振止め具２１は回転板２３のみが第１の実施の形態の振止め具１と異なるものであり、これ以外は同じ構成である。この回転板２３は底部側に補強板２４が溶接されたＬ字形であり、一方がピン２５で固定片８に接続され、他方の折曲片２６には斜め振止め材３がねじ込まれている。
【００１５】
また図５は第３の実施の形態の振止め具２２を示したものである。（１）の振止め具２２は固定片２７のみが第１の実施の形態の振止め具１と異なるものであり、これ以外は同じ構成である。この固定片２７は吊りボルト９に水平に固定される水平片２８と斜め振止め材３を接続する斜板２９とからなり、該斜板２９の折曲片３０に斜め振止め材３がナット３１で接続されている。この固定片２７は吊りボルト９に固定しやすくなっている。また（２）の振止め具２２は固定片２７が吊りボルト９に水平に固定できるように、貫入孔１１が第１の実施の形態の振止め具１と同じように、切込板１２を互いに反対方向に折り曲げ、ここに雌ネジ１３を形成したものである。
【００１６】
次に、振止め具の取り付け方法を図６および図７に基づいて説明する。この取り付け方法は、第１の実施の形態の振止め具１を利用するものである。これはスラブ下面３２から９００ｍｍ程度の間隔で吊り下げられた、長さ１５００ｍｍ以上の吊りボルト２に振止め具１を設置するものである。
【００１７】
はじめに、同図の（１）に示すように、天井用足場３３から作業者３４が一つの吊りボルト２に筒体４を取り付ける。これは筒体４の挿入孔１４に吊りボルト２を挿入し、該吊りボルト２に沿って筒体４を押し上げると、掴み材１６が下がって挿入部１９が広がるので、筒体４が自由に押し上げられる。そして、吊りボルト２の最上部、すなわちスラブ下面３２に達するまで押し上げると、筒体４は掴み材１６で下がらなくなる（下側に押し下げる力により掴み部材１６が縮んで挿入部１９が狭くなるため）。
【００１８】
次に、同図の（２）に示すように、筒体４が挿入された吊りボルト２のＸＹ方向に隣接する吊りボルト９に固定片８を取り付ける。これは斜め振止め材３の他端部に取り付けられていたのを取り外してから吊りボルト９に差し込むものである、そして、４本の斜め振止め材３を傘のように開いて、他端部を前記固定片８に接続する。これは図２に示すように、長ボルトである斜め振止め材３を固定片８のナット１０にねじ込み、長さ調整を斜め振止め材３の回転で行う。
【００１９】
次に、同図の（３）に示すように、斜め振止め材３の下端部、すなわち固定片８が取り付けられた箇所に水平振止め材３５を縦横方向に取り付けると、この水平振止め材３５は、図７に示すように、筒体４が挿入された吊りボルト２を中心に十字形に取り付けられる。なお、第２および第３の実施の形態の振止め具２１、２２も同じ方法で取り付けるものとする。
【図面の簡単な説明】
【００２０】
【図１】第１の実施の形態の振止め具の斜視図である。
【図２】（１）は固定片の断面図、（２）は同斜視図である。
【図３】（１）は筒体の断面図、（２）は（１）のＡ−Ａ線断面図である。
【図４】第２の実施の形態の振止め具の斜視図である。
【図５】（１）および（２）は第３の実施の形態の振止め具の斜視図である。
【図６】（１）〜（３）は振止め具の取り付け方法を示す図である。
【図７】振止め具を取り付けた平面図である。
【図８】従来の振止め具の取り付け方法を示す図である。
【符号の説明】
【００２１】
１、２１、２２  振止め具
２、９  吊りボルト
３、３７  斜め振止め材
４  筒体
５  取付片
６、２３  回転板
７、２５  ピン
８  固定片
１０、３１  ナット
１１  貫入孔
１２  切込板
１３  雌ネジ
１４  挿入孔
１５  収納部
１６  掴み部材
１７  底板
１８  スプリング
１９  挿入部
２０  ネジ部
２４  補強板
２６、３０  折曲片
２７  固定片
２８  水平片
２９  斜板
３２  スラブ下面
３３、３８  天井用足場
３４  作業者
３５、３６  水平振止め材
３９  ウマ
【図１】
2007138413.tif 000003
【図２】
2007138413.tif 000004
【図３】
2007138413.tif 000005
【図４】
2007138413.tif 000006
【図５】
2007138413.tif 000007
【図６】
2007138413.tif 000008
【図７】
2007138413.tif 000009
【図８】
2007138413.tif 000010